(57)【要約】【課題】ＥＭＩ対策に適した構造を有するシェルを備えたコネクタを提供すること。【解決手段】平板状の金属板を折り曲げ、更に、金属板の縁部同士を結合することにより、上面部、底面部及び２つの側面部を有する嵌合部を備えるシェルを形成する場合において、金属板の縁部同士の結合個所を比較的面積の小さな側面部に設ける。これにより、比較的面積の大きな下面部にフリクションロック用等のばねを形成することができることから、大きなサイズのばねを有するシェルを構成することができる。【選択図】図１
2010086903.tif 000002
【特許請求の範囲】
【請求項１】
コンタクトと、該コンタクトを保持するハウジングと、該ハウジングを覆うシェルとを備えるコネクタにおいて、
前記シェルは、上面部、底面部及び２つの側面部を有する嵌合部を備えるものであり、
前記シェルは、平板状の金属板を折り曲げ形成し且つ前記側面部において前記金属板の縁部同士を結合してなるものである
コネクタ。
【請求項２】
請求項１記載のコネクタにおいて、
前記嵌合部の前記上面部と前記底面部との間の距離は前記側面部間の距離よりも短い
コネクタ。
【請求項３】
請求項１又は請求項２記載のコネクタにおいて、
前記シェルの前記嵌合部の前記上面部又は前記底面部の少なくとも一方に、フリクションロック用のばね又は穴が形成されている
コネクタ。
【請求項４】
請求項１乃至請求項３のいずれかに記載のコネクタにおいて、
前記シェルは、当該シェルを接続対象物へ固定するための側面固定片であって前記側面部から下方に向けて延びている側面固定片を備えている
コネクタ。
【請求項５】
請求項４記載のコネクタにおいて、
前記シェルは、前記嵌合部の背面側に位置する背面部と、前記シェルを前記接続対象物へ固定するための背面固定片であって前記背面部から下方に向けて延びている背面固定片を備えている
コネクタ。
【発明の詳細な説明】
【技術分野】
【０００１】
本発明は、コネクタに関し、特に一枚の金属板を折り曲げ形成してなるシェルを有するコネクタに関する。
【背景技術】
【０００２】
この種のシェルを有するコネクタとしては、例えば特許文献１に開示されるものがある。特許文献１に開示されたシェルは、一枚の金属板を折り曲げ形成し且つ底面部において金属板の縁部同士を結合してなるものである。
【０００３】
【特許文献１】特許第３４２５６８８号公報
【発明の開示】
【発明が解決しようとする課題】
【０００４】
ＥＭＩ対策の一つとして、シェルと相手方シェルとの嵌合状態を確実なものとするために、シェルにフリクションロック用等のばね又は穴を設けることが知られている。
【０００５】
本発明は、ＥＭＩ対策に適した構造を有するシェルを備えたコネクタを提供することを目的とする。
【課題を解決するための手段】
【０００６】
本発明によれば、第１のコネクタとして、
コンタクトと、該コンタクトを保持するハウジングと、該ハウジングを覆うシェルとを備えるコネクタにおいて、
前記シェルは、上面部、底面部及び２つの側面部を有する嵌合部を備えるものであり、
前記シェルは、平板状の金属板を折り曲げ形成し且つ前記側面部において前記金属板の縁部同士を結合してなるものである
コネクタが得られる。
【０００７】
本発明によれば、第２のコネクタとして、第１のコネクタにおいて、
前記嵌合部の前記上面部と前記底面部との間の距離は前記側面部間の距離よりも短い
コネクタが得られる。
【０００８】
本発明によれば、第３のコネクタとして、第１又は第２のコネクタにおいて、
前記シェルの前記嵌合部の前記上面部又は前記底面部の少なくとも一方に、フリクションロック用のばね又は穴が形成されている
コネクタが得られる。
【０００９】
本発明によれば、第４のコネクタとして、第１乃至第３のコネクタのいずれかにおいて、
前記シェルは、当該シェルを接続対象物へ固定するための側面固定片であって前記側面部から下方に向けて延びている側面固定片を備えている
コネクタが得られる。
【００１０】
本発明によれば、第５のコネクタとして、第４のコネクタにおいて、
前記シェルは、前記嵌合部の背面側に位置する背面部と、前記シェルを前記接続対象物へ固定するための背面固定片であって前記背面部から下方に向けて延びている背面固定片を備えている
コネクタが得られる。
【発明の効果】
【００１１】
平板状の金属板を折り曲げて略筒状の嵌合部を有するシェルを形成する場合、金属板の縁部同士を結合する必要があるが、本発明によれば、この結合部を比較的面積の小さな側面部に設けたことから、比較的面積の大きな下面部に十分に大きなフリクションロック用のばね等を設けることが可能となるなどＥＭＩ対策を考慮した設計の自由度を高めることができる。
【発明を実施するための最良の形態】
【００１２】
本発明の実施の形態によるコネクタは、ＤｉｓｐｌａｙＰｏｒｔ用のコネクタの小型タイプのものであり、複数のコンタクト（図示せず）と、それらコンタクトを保持するハウジング（図示せず）と、そのハウジングを覆う金属製のシェルとを備えている。
【００１３】
図１及び図２に示されるように、本実施の形態によるシェル１００は、相手方シェル（図示せず）と嵌合する嵌合部２００と、シェル背面を覆う背面部３００とを備えている。
【００１４】
本実施の形態による嵌合部２００は、略筒状のものであり、ＹＺ平面に沿った断面として略長方形形状を有するものである。詳しくは、嵌合部２００は、上面部２１０、底面部２２０及び２つの側面部２３０，２４０を備えている。図１から明らかなように、本実施の形態においては、上面部２１０と底面部２２０間の距離は、側面部２３０，２４０間の距離よりも短い。
【００１５】
上面部２１０には、比較的小型のばね２１２が２つ形成されており、一方、底面部２２０には、フリクションロック用の比較的大型のばね２２２が形成されている。
【００１６】
側面部２４０には係止部２４２が形成されている。係止部２４２はダボ出し等のプレスにより、側面部２４０に形成される。この係止部２４２は、側面部２４０上において、背面部３００から一方に延びる耳部３０１に形成された係止孔部３０３に係止している。側面部２３０にも同様な係止部が形成されており、更にその係止部は背面部３００から他方に延びる耳部３０１に形成された係止孔部３０３と係止されている。
【００１７】
また、側面部２３０，２４０には、コネクタが搭載される基板（接続対象物）に対してシェル１００を固定するための側面固定片２３５，２４５が設けられている。これら側面固定片２３５，２４５はＺ方向下側に向けて延びている。この側面固定片２３５，２４５を設けたことにより、コネクタと相手方コネクタとの嵌合・離脱時にシェル１００に加わる力に対して、高い強度を得ることができる。なお、この側面固定片２３５，２４５は基板上のグランド部に電気的に接続されるグランド端子としても機能する。
【００１８】
更に、背面部３００には、基板（接続対象物）に対してシェル１００を固定するための背面固定片３０５が２つ設けられている。これら背面固定片３０５は、側面固定片２３５，２４５と同様、Ｚ方向下側に向けて延びている。本実施の形態においては、これらの背面固定片３０５も基板上のグランド部に電気的に接続されるグランド端子として機能する。これら背面固定片３０５を設けたことにより、シェル１００の基板への固定を更に強固なものとすることができ、また、グランド経路を複数個確保することができ、強固なシールド特性を得ることができる。
【００１９】
ここで、本実施の形態によるシェル１００は、図３に示されるような一枚の平板状の金属板を折り曲げて形成したものであり、略筒状の嵌合部２００を構成するために金属板の縁部同士を側面部２４０に当たる位置において結合してなるものである。なお、図３においては、係止部２４２が省略されている。
【００２０】
詳しくは、本実施の形態における側面部２４０は、側面上部２５０と側面下部２６０の２つの部位からなるものであり、側面上部２５０の縁部２５２に設けられた凹部２５４と側面下部２６０の縁部２６２に設けられた凸部２６４とを嵌め合わせた後にそれらをかしめることにより構成されている。その結果、図３に示される金属板の縁部２５２，２６２間の結合部位は、側面部２４０上に位置することとなっている。
【００２１】
このように、金属板の縁部２５２，２６２の結合部位を側面部２４０上に形成したことにより、サイズの大きいばね２２２を底面部２２０上に形成することができる。これにより、相手方コネクタの有する相手方シェルとシェル１００との接続を確実なものとすることができる。
【００２２】
また、金属板の縁部２５２，２６２の結合部位を側面部２４０上に形成したことにより、十分な長さを有する側面固定片２３５，２４５を側面部２３０，２４０に対して設けることができる。これに対して、例えば、金属板の縁部の結合部位を上面部２１０上に形成することとすると、適切な側面固定片を形成することができない。詳しくは、図４に示されるように、上面部２１０を２つに分け、一方の縁部２１０ａに凸部２１４を形成し、他方の縁部２１０ｂに凹部２１６を形成して、それら凸部２１４を凹部２１６に嵌め合わせ更にかしめることにより略筒状の嵌合部を構成しようとした場合、側面固定片に対応する部位２３８の長さは、底面部２２０の幅に制限されることとなるため、十分な長さを有する側面固定片を得ることができない。
【００２３】
以上、本発明の実施の形態について具体的に説明してきたが、本発明はこれに限定されるものではない。例えば、上述した実施の形態によるシェル１００は、背面部３００に背面固定片３０５を有するものであったが、図５に示されるように、背面固定片３０５を有しない構成としてもよいし、更には、図６に示されるように、背面部３００自体を有しない構成としてもよい。
【図面の簡単な説明】
【００２４】
【図１】本発明の実施の形態によるコネクタに用いられるシェルを示す正面斜視図である。
【図２】図１のシェルを示す背面斜視図である。
【図３】図１のシェルを折り曲げ形成する前の金属板を示す図である。
【図４】比較例の金属板を示す図である。
【図５】図１のシェルの変形例を示す背面斜視図である。
【図６】図１のシェルの他の変形例を示す背面斜視図である。
【符号の説明】
【００２５】
１００        シェル
２００        嵌合部
２１０        上面部
２１２        ばね
２２０        底面部
２２２        ばね
２３０        側面部
２３５        側面固定片
２４０        側面部
２４２        係止部
２４５        側面固定片
２５０        側面上部
２５２        縁部
２５４        凹部
２６０        側面下部
２６２        縁部
２６４        凸部
３００        背面部
３０１        耳部
３０３        係止孔部
３０５        背面固定片
【図１】
2010086903.tif 000003
【図２】
2010086903.tif 000004
【図３】
2010086903.tif 000005
【図４】
2010086903.tif 000006
【図５】
2010086903.tif 000007
【図６】
2010086903.tif 000008